(57)【要約】  デッキ（１）及び前記デッキ下側に位置する複数の足（３ａ、３b、３ｃ、３d）から成る種のパレットである。前記デッキに輸送のため商品（５）が積まれた際、前記パレットは柔軟な被覆材料（４）で被覆される。後者はプラスチックまたは織物で作られ、かつ、前記被覆材料の角部（４ａ）を、前記デッキ上に備えられた少なくとも１つの留め具（７）中の、少なくとも第１切開部（９）に堅く押し込み、少なくとも一箇所で、前記デッキ（１）に取外し可能に固定する。前記パレットの上で運搬される商品は安定した状態で被覆され、前記パレットの適所で保持され、前記パレットは比較的取り扱いやすくなる。
2011521850.tif 000002
【特許請求の範囲】
【請求項１】
デッキ（１）及び前記デッキ下側に位置する複数の足（３ａ、３b、３ｃ、３d）から成る種のパレットで、前記デッキに輸送のための商品（５）が積まれた際に柔軟な被覆材料（４）で被覆されるパレットであって、前記被覆材料（４）がプラスチックまたは織物で作られ、かつ、前記被覆材料の角部（４ａ）を、前記デッキ上に取り付けられた少なくとも１つの留め具（７）内の、少なくとも第１切開部（９）の中に堅く押し込むことによって、少なくとも一箇所で、前記デッキ（１）に取外し可能に固定することを特徴とするパレット。
【請求項２】
１またはそれ以上の前記足（３ａ、３b、３ｃ）の側面が誘導ライン状のマーク（６）を備え、前記マーク（６）が前記パレットから離れた位置、好適には前記パレットの高さよりも上方の位置から視認でき、フォークリフトで前記パレットを移動させる際に利用されることを特徴とする、請求項１に記載のパレット。
【請求項３】
前記切開部（９）が、スリットを形成する前記切開部の相当部分上にある実質的に平行な２つの端縁部を備えることを特徴とする、請求項１または２に記載のパレット。
【請求項４】
前記留め具（７）が、前記第１切開部（９）に隣接する位置にある第２切開部（１０）または孔を有することができ、前記第１切開部に前記被覆材料の前記角部が固定された後、前記第２切開部の中に、前記角部の前記外側終端部（４ａ）を押し込みまたは詰め込むことを特徴とする、請求項１、２または３に記載のパレット。
【請求項５】
前記留め具（７）が少なくとも３ｍｍの厚さを有し、平滑な端部を有することを特徴とする、請求項１〜４のいずれか一項に記載のパレット。
【請求項６】
前記留め具（７）が、前記デッキ（１）上に位置し、好適には前記デッキの各頂点近くに位置することを特徴とする、請求項１〜５のいずれか一項に記載のパレット。
【請求項７】
前記留め具（７）が亜鉛メッキされることを特徴とする、請求項１〜６のいずれか一項に記載のパレット。
【請求項８】
前記留め具（７）がプラスチックで作られ、好適にはモールド成形であることを特徴とする、請求項１〜７のいずれか一項に記載のパレット。
【請求項９】
前記留め具（７）がネジで前記デッキに固定され、または前記デッキの中に埋め込まれることを特徴とする、請求項１〜８のいずれか一項に記載のパレット。
【請求項１０】
前記誘導ライン状のマーク（６）が、問題となる前記足の外側側面と比して、狭く、高くなった隆起部または狭い溝部から成ることを特徴とする、請求項１〜９のいずれか一項に記載のパレット。
【請求項１１】
前記狭い隆起部または狭い溝部（６）が、前記パレットの反対側を向いた前記足の側面、及び隣接する前記足（３ｃ）に向いた前記足の側面の双方に沿って延在することを特徴とする、請求項１〜１０のいずれか一項に記載のパレット。
【請求項１２】
前記誘導ライン状のマーク（６）が、一定長の固定されたリボンを有することを特徴とする、請求項１〜１１のいずれか一項に記載のパレット。
【請求項１３】
前記誘導ライン状のマーク（６）は、問題となる前記足の下部３分の１の位置を示すマーク及び上部３分の１の位置を示すマークの間の区域に備えることを特徴とする、請求項１〜１２のいずれか一項に記載のパレット。
【請求項１４】
前記誘導ライン状のマークが少なくとも１．５ｃｍの幅及び問題となる足の色と異なる色を有し、前記マークは好適には明るい色であることを特徴とする、請求項１〜１３のいずれか一項に記載のパレット。
【請求項１５】
各前記足（３ａ、３b、３ｃ）が中空で、その下部に、前記足の側壁を貫通する長方形の孔（１２）を備え、水などの液体を足内部から排出することを特徴とする、請求項１〜１３のいずれか一項に記載のパレット。
【発明の詳細な説明】
【技術分野】
【０００１】
本発明は、デッキ及びデッキ下側に位置する複数の足から成る種のパレットであって、デッキに輸送のための商品が積まれた際に、柔軟な被覆材料で被覆されるパレットに関するものである。
【背景技術】
【０００２】
特許文献より、適合型のコンテナ上部構造を備えるパレットは周知となっている。輸送されるべき商品が置かれるパレットは、コンテナの底部を構成する。このパレット構造は、多大なスペースを要し、そのためデッキ（すなわち支持表面）の直ぐ上の容積を最小限に保たなければならない輸送機能には、あまり適さない。加えて、このようなパレットを移動させるフォークリフトの操作者が、パレットの足の間の空間にフォークリフトのフォークを正確に配置するのが困難であるという問題がある。上記のフォークの正確な配置は、パレット上でのフォークの摩耗を減少させることから、重要である。
【先行技術文献】
【特許文献】
【０００３】
英国特許出願公開第８０７５７１号明細書
【発明の概要】
【０００４】
本発明の目的は、上記種類のパレットであって、上記商品を依然として被覆しながらも上記コンテナを廃棄可能とし、かつ、上記被覆材料が、多少なりとも、デッキ下側で隣接する足の間の空間を覆うことを避けながらもフォークリフトの操作者が容易に取り扱うことのできるパレットを提供することにある。
【０００５】
本発明に従うパレットは、被覆材料がプラスチックまたは織物で作られ、被覆材料の角部を、デッキ上に取り付けられた少なくとも１つの留め具内の、少なくとも第１切開部の中に堅く押し込むことによって、少なくとも一箇所で、デッキに取外し可能に固定することを特徴とする。結果として、パレット上に配置された商品をしっかりと被覆し、デッキ上の適所に保持することができ、かつ、被覆材料がデッキ下側の隣接する足の間の空間を覆うことがない。
【０００６】
本発明によれば、上記足の１またはそれ以上の側面は誘導ライン状のマークを備え、このマークはパレットから離れた位置、好適にはパレットの高さより上方の位置から視認でき、フォークを備えるトラックでパレットを移動させる際に利用される。そのため、目的とするパレットのデッキ下側へフォークを挿入するに際しては、トラック上の操作者の位置からパレットの足を容易に位置付けることができる。デッキにしっかりとはめ込まれるので、上記被覆材料がパレットの足の間の空間を覆うことはなく、これによってフォークリフトのフォークをこれらの空間に挿入しやすくなる。
【０００７】
本発明によれば、上記切開部は、スリットを形成する切開部の長さの相当部分上にある実質的に平行な２つの端縁部を備えることができる。結果として、各留め具はプラスチックまたは織物の被覆材料を効果的に、特に堅く保持することができる。
【０００８】
さらに、本発明によれば、留め具は、第１切開部に隣接した位置にある第２切開部または孔を有することができ、第１切開部に被覆材料の角部が固定された後、第２切開部または孔の中に、角部の外側終端部を押し込みまたは詰め込むことができる。結果として、被覆材料をパレットに非常に安定した状態で固定することができる。
【０００９】
さらに、本発明によれば、留め具は少なくとも３ｍｍの厚さを有し、平滑な端部を有することができる。これによって、非常に効果的に、被覆材料を堅く縛りつけ固定することができる。
【００１０】
本発明によれば、留め具をデッキ上に、好適にはデッキの各頂点の近くに配置することができる。
【００１１】
本発明によれば、上記留め具は亜鉛メッキすることができ、これによって留め具は特に水の影響に対して耐性を備えるようになることが保証される。
【００１２】
本発明によれば、プラスチック製の上記留め具を作ることがさらに可能であり、好適にはモールド成形により作ることができる。そのため、留め具は極めて安価に製造できる。
【００１３】
本発明によれば、上記留め具をネジによってデッキに固定することもでき、またはデッキの中へ埋め込むこともでき、それは特に効果的であることが証明されている。
【００１４】
本発明によれば、誘導ライン状のマークは、問題となる足の外側側面と比して、狭く、高くなった隆起部または狭い溝部から構成することができる。そのため、マークは特に目立つようになる。
【００１５】
さらに、本発明によれば、狭い隆起部または狭い溝部は、パレットの反対側を向いた足の側面、及び隣接する足に向いた足の側面の双方に沿って延在できる。そのため、上記フォークリフト操作者が容易にフォークリフトのフォークを挿入すべきパレット下側の空間を見つけられることが保証される。
【００１６】
さらに、本発明によれば、誘導ライン状のマークは、一定長の固定されたリボンとすることができ、これは、特に目立つマークを与えることが示されている。
【００１７】
さらに、本発明によれば、各誘導ライン状のマークは、問題となる足の下部３分の１の位置を示すマーク及び上部３分の１の位置を示すマークの間の区域に備えることができ、これは、実施にあたり、特に有利であることが証明されている。
【００１８】
さらに、本発明によれば、各誘導ライン状のマークは、少なくとも１．５ｃｍの幅及び問題となる足の色と異なる色を有することができ、マークは、好適には明るい色である。そのため、大部分のところ、フォークリフトのフォークをパレットのデッキ下側に挿入するためにフォークリフトを利用する際、フォークリフト操作者はフォークの挿入のための正しい空間を容易に見つけられることが保証される。
【００１９】
最後に、本発明によれば、各足は中空であり、水などの液体を足内部から排出するための孔を底部に有することができる。そのため、いかなる水分も、パレットの足内部に不利なほどに溜まることはない。
【００２０】
パレットは、寸法が８０ｃｍ×１２０ｃｍ、８０ｃｍ×２００ｃｍ、８０ｃｍ×２５０ｃｍ、または８０ｃｍ×６０ｃｍのとき、特に有用であることは留意すべきである。
【００２１】
以下に詳述する本発明は、添付の図面を参照して説明される。
【図面の簡単な説明】
【００２２】
【図１】本発明によるパレットの実施形態を被覆材料を外した状態で示しており、上記被覆材料用の留め具が明確に視認できる。
【図２】留め具内で固定された被覆材料によって被覆される図１のパレットを示す。
【図３】留め具を正面から拡大して示す。
【図４】パレットの足の、中央縦断面である。
【発明を実施するための形態】
【００２３】
図１に示すパレットは、デッキ１及びデッキの下側に位置する複数の足３ａ、３b、３ｃから成る。しかしながら、全ての足は示されていない。パレットに輸送用の商品５を積むことができ、パレット−及び商品−を、柔軟な被覆材料４で被覆することができる。被覆材料はプラスチックまたは織物で作られ、留め具７によってデッキ１に固定され、この留め具は、好適にはデッキ１の角部のうちの１つの近くに位置する。複数の留め具７をデッキ１の周囲に備えることができる。
【００２４】
１またはそれ以上の上記足３ａ、３b、３ｃ、及び３dの側面上に、例えば側面３b′上に、誘導ライン状のマーク６を設けることができ、このマークは、好適にはパレットに隣接する位置及びパレットよりも相当に高い位置から視認できる。上記誘導ライン状のマークは、パレットをフォークリフトで移動させる際に利用される。なぜならフォークリフトの操作者は、このマークによって、確実に、上記足の間の場所にフォークリフトのフォークを導くことができるからである。
【００２５】
図３に示すように、各留め具は、留め具の長さの相当部分上に、実質的に平行な２つの端縁部９ａ、９ｂを備え、スリットを形成する。図２に示すように、被覆材料４の角部をこのスリットの中に差して押し込み、全被覆材料がしっかりとパレットを取り囲むが、足３ａ、３b、３ｃ及び３dの間の空間を覆うことがないようにすることができる。
【００２６】
図３に示すように、第１切開部９に隣接して孔１０または第２切開部を設けることができ、第１切開部に被覆材料の角部が固定された後、第２切開部の中に、角部の外側終端部４ａを押し込みまたは詰め込むことができる。留め具は通常、少なくとも３ｍｍの厚さ及び平滑な端部を有し、上記端部が被覆材料の角部を破損することを防ぐ。
【００２７】
留め具７は耐候性を備えるため、亜鉛メッキすることができる。
【００２８】
留め具はプラスチック製でも良いが、好適にはモールド成形であり、ネジでデッキ１に固定しても、デッキに埋め込んでも良い。
【００２９】
上記誘導ライン状のマーク６は、足３bの外側側面と比べて、狭く、高くなった隆起部または狭い溝部から成ることができる。重要なのは、マークが明確に視認できることである。狭い隆起部または狭い溝部６は、パレットの反対側を向く、すなわち観察者に向いた足の側面、及び隣接する足、例えば隣接する足３ｃ（図１参照）に向いた足の側面の双方に沿って伸長できる。
【００３０】
各誘導ライン状のマーク６は、問題となる足３bの下部３分の１の位置を示すマーク及び上部３分の１の位置を示すマークの間の区域に備えることができる。各誘導ライン状のマーク６は、少なくとも１．５ｃｍの幅及び問題となる足の色と異なる色を有することができ、マーク６は、好適には明るい色である。
【００３１】
図４に示すように、各足３ａ、３b、３ｃは中空であり、下部に足の側壁を貫通する長方形の孔１２を備えることができる。その目的は、足に浸透する可能性のある水などの液体を排出することである。
【００３２】
本発明の範囲から逸脱することなく、本発明へ多くの変更を加えることができる。足３ａ、３b、３ｃは、例えば「摩擦」足とすることができ、フォークリフトのスチール製フォークとデッキ１の間の一定量の摩擦を確保する。
【００３３】
加えて、デッキ１の頂面に、デッキ１とデッキ上に積まれた商品間の摩擦を得るため、複数の平行摩擦リブを設けることができる。
【００３４】
垂直誘導ライン状のマーク（線）を、デッキ１の一面における足３ａ、３b、３ｃ及び３dの全ての上に設けることができ、端縁部からの距離を約５cmとする。
【００３５】
垂直誘導ライン状のマークは、好適にはデッキの長辺側における足の外側に位置し、典型的には地表／床面から約２ｃｍ上方にある。
【００３６】
最後に、識別カードまたは識別装置を、例えば足の上に搭載することができ、それによって自動的に（主として機械的に）、かつ極めて素早く、例えばパレットが持ち込まれる先のサプライチェーンに関連するパレットを識別することができる。
【図１】
2011521850.tif 000003
【図２】
2011521850.tif 000004
【図３】
2011521850.tif 000005
【図４】
2011521850.tif 000006
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
デッキ（１）及び前記デッキ下側に位置する複数の足（３ａ、３ｂ、３ｃ、３ｄ）から成る種のパレットで、前記デッキに輸送のための商品（５）が積まれた際に柔軟な被覆材料（４）で被覆される前記パレットであって、例えば前記被覆材料（４）はプラスチックまたは織物で作られ、かつ、前記デッキ（１）に少なくとも１つの留め具（７）によって取り外し可能に固定され、少なくとも１つの前記留め具（７）が、前記デッキの端縁部に取り付けられ、前記留め具は、前記被覆材料の角部（４ａ）を、前記留め具（７）内の少なくとも１つの切開部（９）の中に堅く押し込むことを可能とし、前記被覆材料の前記角部の外側終端部を、前記留め具（７）内の孔（１０）へ通過させることを特徴とするパレット。
【請求項２】
１またはそれ以上の前記足（３ａ、３ｂ、３ｃ）の側面が誘導ライン状のマーク（６）を備え、前記マーク（６）が前記パレットから離れた位置、好適には前記パレットの高さよりも上方の位置から視認でき、フォークリフトで前記パレットを移動させる際に利用されることを特徴とする、請求項１に記載のパレット。
【請求項３】
前記切開部（９）が、スリットから成り、前記スリットは前記切開部の長さの相当部分上にある実質的に平行な２つの端縁部を備えることを特徴とする、請求項１または２に記載のパレット。
【請求項４】
前記留め具（７）が、前記第１切開部（９）に隣接する位置にある第２切開部（１０）を有し、前記第１切開部に前記被覆材料の前記角部が固定された後、前記外側終端部を前記留め具内の前記孔に通す前に、前記第２切開部（１０）の中に、前記角部の外側終端部（４ａ）をさらに押し込みまたは詰め込むことを特徴とする、請求項１、２または３に記載のパレット。
【請求項５】
前記留め具（７）が少なくとも３ｍｍの厚さを有し、平滑な端部を有することを特徴とする、請求項１〜４のいずれか一項に記載のパレット。
【請求項６】
前記留め具（７）が、前記デッキ（１）上に位置し、前記デッキの各頂点近くに位置することを特徴とする、請求項１〜５のいずれか一項に記載のパレット。
【請求項７】
前記留め具（７）が亜鉛メッキされることを特徴とする、請求項１〜６のいずれか一項に記載のパレット。
【請求項８】
前記留め具（７）がプラスチックで作られ、好適にはモールド成形であることを特徴とする、請求項１〜７のいずれか一項に記載のパレット。
【請求項９】
前記留め具（７）がネジで前記デッキに固定され、または前記デッキの中に埋め込まれることを特徴とする、請求項１〜８のいずれか一項に記載のパレット。
【請求項１０】
前記誘導ライン状のマーク（６）が、問題となる前記足の外側側面と比して、狭く、高くなった隆起部または狭い溝部から成ることを特徴とする、請求項１〜９のいずれか一項に記載のパレット。
【請求項１１】
前記狭い隆起部または狭い溝部（６）が、前記パレットの反対側を向いた前記足の側面、及び隣接する前記足（３ｃ）に向いた前記足の側面の双方に沿って延在することを特徴とする、請求項１〜１０のいずれか一項に記載のパレット。
【請求項１２】
前記誘導ライン状のマーク（６）が、一定長の固定されたリボンを有することを特徴とする、請求項１〜１１のいずれか一項に記載のパレット。
【請求項１３】
前記誘導ライン状のマーク（６）は、問題となる前記足の下部３分の１の位置を示すマーク及び上部３分の１の位置を示すマークの間の区域に備えることを特徴とする、請求項１〜１２のいずれか一項に記載のパレット。
【請求項１４】
前記誘導ライン状のマークが少なくとも１．５ｃｍの幅及び問題となる足の色と異なる色を有し、前記マークは好適には明るい色であることを特徴とする、請求項１〜１３のいずれか一項に記載のパレット。
【手続補正２】
【補正対象書類名】明細書
【補正対象項目名】全文
【補正方法】変更
【補正の内容】
【書類名】明細書
【発明の名称】柔軟な被覆材料を有するパレット
【技術分野】
【０００１】
本発明は、デッキ及びデッキ下側に位置する複数の足から成る種のパレットであって、デッキに輸送のための商品が積まれた際に、柔軟な被覆材料で被覆されるパレットに関するものであって、例えばプラスチックまたは織物で作られ、少なくとも１つの留め具によってデッキに取り外し可能に固定される。
【背景技術】
【０００２】
特許文献３より、適合型のコンテナ上部構造を備えるパレットは周知となっている。輸送されるべき商品が置かれるパレットは、コンテナの底部を構成する。このパレット構造は、多大なスペースを要し、そのためデッキ（すなわち支持表面）の直ぐ上の容積を最小限に保たなければならない輸送機能には、あまり適さない。加えて、このようなパレットを移動させるフォークリフトの操作者が、パレットの足の間の空間にフォークリフトのフォークを正確に配置するのが困難であるという問題がある。上記のフォークの正確な配置は、パレット上でこのフォークの摩耗を減少させることから、重要である。
【先行技術文献】
【特許文献】
【０００３】
【特許文献１】特開２００２−３６２５５９号公報
【特許文献２】独国特許出願公開第２３２７１７（Ａ１）号明細書
【特許文献３】英国特許出願公開第８０７５７１号明細書
【発明の概要】
【０００４】
本発明の目的は、上記種類のパレットであって、上記商品を依然として被覆しながらも上記コンテナを廃棄可能とし、かつ、上記被覆材料が、多少なりとも、デッキ下側で隣接する足の間の空間を覆うことを避けながらもフォークリフトの操作者が容易に取り扱うことのできるパレットを提供することにある。
【０００５】
本発明に従うパレットは、デッキの端縁部上に固定して備えられた少なくとも１つの留め具を有し、この留め具は、被覆材料の角部を、留め具内の少なくとも１つの切開部の中に堅く押し込み、かつ、この被覆材料の角部の外側終端部を、留め具内の孔に通過させることができることを特徴とする。結果として、パレット上に配置された商品をしっかりと被覆し、デッキ上の適所に保持することができ、かつ、被覆材料がデッキ下側の隣接する足の間の空間を覆うことがない。
【０００６】
本発明によれば、上記足の１またはそれ以上の側面は誘導ライン状のマークを備え、このマークはパレットから離れた位置、好適にはパレットの高さより上方の位置から視認でき、フォークを備えるトラックでパレットを移動させる際に利用される。そのため、目的とするパレットのデッキ下側へフォークを挿入するに際しては、トラック上の操作者の位置からパレットの足を容易に位置付けることができる。デッキにしっかりとはめ込まれるので、上記被覆材料がパレットの足の間の空間を覆うことはなく、これによってフォークリフトのフォークをこれらの空間に挿入しやすくなる。
【０００７】
本発明によれば、上記切開部は、スリットから成ることができ、スリットは切開部の長さの相当部分上にある実質的に平行な２つの端縁部を備えることができる。結果として、各留め具はプラスチックまたは織物の被覆材料を効果的に、特に堅く保持することができる。
【０００８】
さらに、本発明によれば、留め具は、第１切開部に隣接した位置にある第２切開部を有することができ、第１切開部に被覆材料の角部が固定された後、前記外側終端部を前記留め具内の前記孔に通す前に、第２切開部中に、角部の外側終端部をさらに押し込みまたは詰め込むことができる。結果として、被覆材料をデッキに非常に安定した状態で固定することができる。
【０００９】
さらに、本発明によれば、留め具は少なくとも３ｍｍの厚さを有し、平滑な端部を有することができる。これによって、非常に効果的に、被覆材料を堅く縛りつけ固定することができる。
【００１０】
本発明によれば、留め具をデッキ上に位置し、デッキの各頂点の近くに位置することができる。
【００１１】
本発明によれば、上記留め具は亜鉛メッキすることができ、これによって留め具は特に水の影響に対して耐性を備えるようになることが保証される。
【００１２】
本発明によれば、プラスチック製の上記留め具を作ることがさらに可能であり、好適にはモールド成形により作ることができる。そのため、留め具は極めて安価に製造できる。
【００１３】
本発明によれば、上記留め具をネジによってデッキに固定することもでき、またはデッキの中へ埋め込むこともでき、それは特に効果的であることが証明されている。
【００１４】
本発明によれば、誘導ライン状のマークは、問題となる足の外側側面と比して、狭く、高くなった隆起部または狭い溝部から構成することができる。そのため、マークは特に目立つようになる。
【００１５】
さらに、本発明によれば、狭い隆起部または狭い溝部は、パレットの反対側を向いた足の側面、及び隣接する足に向いた足の側面の双方に沿って延在できる。そのため、上記フォークリフト操作者が容易にフォークリフトのフォークを挿入すべきパレット下側の空間を見つけられることが保証される。
【００１６】
さらに、本発明によれば、誘導ライン状のマークは、一定長の固定されたリボンとすることができ、これは、特に目立つマークを与えることが示されている。
【００１７】
さらに、本発明によれば、各誘導ライン状のマークは、問題となる足の下部３分の１の位置を示すマーク及び上部３分の１の位置を示すマークの間の区域に備えることができ、これは、実施にあたり、特に有利であることが証明されている。
【００１８】
最後に、本発明によれば、各誘導ライン状のマークは、少なくとも１．５ｃｍの幅及び問題となる足の色と異なる色を有することができ、マークは、好適には明るい色である。そのため、大部分のところ、フォークリフトのフォークをパレットのデッキ下側に挿入するためにフォークリフトを利用する際、フォークリフト操作者はフォークの挿入のための正しい空間を容易に見つけられることが保証される。
【００１９】
パレットは、寸法が８０ｃｍ×１２０ｃｍ、８０ｃｍ×２００ｃｍ、８０ｃｍ×２５０ｃｍ、または８０ｃｍ×６０ｃｍのとき、特に有用であることは留意すべきである。
【００２０】
以下に詳述する本発明は、添付の図面を参照して説明される。
【図面の簡単な説明】
【図１】本発明によるパレットの実施形態をデッキ上の被覆材料を外した状態で示しており、上記被覆材料用の留め具が明確に視認できる。
【図２】本発明による、デッキ上の商品が留め具で固定された被覆材料によって被覆される図１のパレットを示す。
【図３】留め具を正面から拡大して示す。
【図４】パレットの足の、中央縦断面である。
【発明を実施するための形態】
【００２１】
図１に示すパレットは、デッキ１及びデッキの下側に位置する複数の足３ａ、３b、３ｃから成る。しかしながら、全ての足は示されていない。パレットに輸送用の商品５を積むことができ、商品及びパレットの頂部を、柔軟な被覆材料４で被覆する。被覆材料はプラスチックまたは織物で作られ、留め具７によってデッキ１に固定され、この留め具は、好適にはデッキ１の角部のうちの1つの近くに位置する。複数の留め具７をデッキ１の周辺に備えることができる。
【００２２】
１またはそれ以上の上記足３ａ、３ｂ、３ｃ、及び３ｄの側面上に、例えば側面３b′上に、誘導ライン状のマーク６を備えることができ、このマークは、好適にはパレットに隣接する位置及びパレットよりも相当に高い位置から視認できる。この誘導ライン状のマークは、パレットをフォークリフトで移動させる際に利用される。なぜならフォークリフトの操作者は、このマークによって、確実に、上記足の間の場所にフォークリフトのフォークを導くことができるからである。
【００２３】
図３に示すように、各留め具は、留め具の長さの相当部分上に、実質的に平行な２つの端縁部９ａ、９ｂを備え、明確にスリットを形成する。図２に示すように、被覆材料４を設置する際、被覆材料４の角部をこのスリットの中に差して押し込み、全被覆材料がしっかりとデッキを取り囲むが、足３ａ、３ｂ、３ｃ及び３ｄの間の空間を覆うことがないようにすることができる。
【００２４】
図３に示すように、第１切開部９に隣接して孔１０を設けることができ、第１切開部に被覆材料の角部が固定された後、第１切開部９の中に、角部の外側終端部４ａを押し込みまたは詰め込むこともできる。留め具は通常、少なくとも３ｍｍの厚さ及び平滑な端部を有し、それは上記端部が被覆材料の角部を破損することを防ぐ。
【００２５】
留め具７は耐候性を備えるため、亜鉛メッキすることができる。
【００２６】
留め具はプラスチック製でも良いが、好適にはモールド成形であり、ネジでデッキ１に固定しても、デッキに埋め込んでも良い。
【００２７】
上記誘導ライン状のマーク６は、足３ｂの外側側面と比べて、狭く、高くなった隆起部または狭い溝部から成ることができる。重要なのは、マークが明確に視認できることである。狭い隆起部または狭い溝部６は、パレットの反対側を向く、すなわち観察者に向いた足の側面、及び隣接する足、例えば隣接する足３ｃ（図１参照）に向いた足の側面の双方に沿って伸長できる。
【００２８】
各誘導ライン状のマーク６は、問題となる足３ｂの下部３分の１の位置を示すマーク及び上部３分の１の位置を示すマークの間の区域に備えることができる。各誘導ライン状のマーク６は、少なくとも１．５ｃｍの幅及び問題となる足の色と異なる色を有することができ、マーク６は、好適には明るい色である。
【００２９】
本発明の範囲から逸脱することなく、本発明へ多くの変更を加えることができる。足３ａ、３b、３ｃは、例えば「摩擦」足とすることができ、フォークリフトのスチール製フォークとデッキ１の間の一定量の摩擦を確保する。
【００３０】
加えて、デッキ１の頂面に、デッキ１とデッキ上に積まれた商品間の摩擦を得るため、複数の平行摩擦リブを設けることができる。
【００３１】
垂直誘導ライン状のマーク（線）を、デッキ１の一面における足３ａ、３ｂ、３ｃ及び３ｄの全ての上に設けることができ、端縁部からの距離を約５cmとする。
【００３２】
垂直誘導ライン状のマークは、好適にはデッキの長辺側における足の外側に位置し、典型的には地表／床面から約２ｃｍ上方にある。
【国際調査報告】
2011521850.tif 000007
2011521850.tif 000008